(57)【要約】【課題】  テレビ番組に対する投稿コメントを見ながらテレビ番組を視聴する際に、友人や知り合いのユーザなど特定のユーザと、簡単な操作で同じテレビ番組を視聴することを可能とする通信システム、通信方法および通信プログラムを提供する。【解決手段】  送信側端末装置１０は、視聴を促す内容のコメント内容およびテレビ番組の放送局を示す放送局情報を示す文字列からなるコメント本文と、該コメント本文を投稿するユーザを識別するためのユーザ識別情報と、宛先のユーザを特定するユーザ特定情報とを含む投稿コメント情報を、ＳＮＳサーバ３０に送信する。受信側端末装置２０は、ＳＮＳサーバ３０に送信された投稿コメント情報に含まれるユーザ特定情報に基づいて、自装置を使用中のユーザ宛の投稿コメント情報を抽出し、抽出した投稿コメント情報を取得し、取得した投稿コメント情報に含まれるコメント本文とユーザ識別情報とを表示する。【選択図】      図１
2014204163.tif 000002
【特許請求の範囲】
【請求項１】
外部の投稿サーバ装置に投稿コメント情報を送信する送信側携帯端末装置と、前記投稿サーバ装置に投稿された投稿コメント情報を受信して表示する受信側携帯端末装置とを含む通信システムであって、
前記送信側携帯端末装置は、
投稿コメント情報の宛先となるユーザを入力する宛先入力部と、
コメント内容およびテレビジョン放送番組の放送局を示す放送局情報を示す文字列からなるコメント本文と、該コメント本文を投稿するユーザを識別するためのユーザ識別情報とを含む投稿コメント情報を、前記宛先入力部で入力された宛先のユーザが使用する受信側携帯端末装置で表示可能なように、前記投稿サーバ装置に送信する送信部と、を備え、
前記受信側携帯端末装置は、
前記受信側携帯端末装置を使用するユーザを入力する使用者入力部と、
前記投稿サーバ装置に送信された投稿コメント情報から前記使用者入力部で入力されたユーザ宛の投稿コメント情報を抽出し、抽出した投稿コメント情報を取得する投稿コメント取得部と、
前記投稿コメント取得部が投稿コメント情報を取得すると、取得した投稿コメント情報に含まれるコメント本文とユーザ識別情報とを表示する表示部と、を備えることを特徴とする通信システム。
【請求項２】
前記コメント内容は、前記放送局情報が示す放送局で放送中のテレビジョン放送番組の視聴を促す内容であることを特徴とする請求項１記載の通信システム。
【請求項３】
前記受信側携帯端末装置は、
テレビジョン受像機において放送局を選局するための無線コマンドを示す放送局選局情報を記憶する記憶部と、
前記無線コマンドをテレビジョン受像機に送信する無線通信部とを含み、
前記無線通信部は、前記投稿コメント取得部が投稿コメント情報を取得すると、前記記憶部に記憶された放送局選局情報に基づいて、取得した投稿コメント情報に含まれる放送局情報で示される放送局を選局するための無線コマンドを取得し、取得した無線コマンドをテレビジョン受像機に送信することを特徴とする請求項１または２に記載の通信システム。
【請求項４】
前記受信側携帯端末装置は、
テレビジョン放送番組を視聴する地域を示す地域情報と、該地域において視聴可能なテレビジョン放送番組を放送する放送局を示す地域放送局情報と、放送局が属する系列を示す系列情報とが記憶される記憶部と、
前記地域情報を登録する登録部とを含み、
前記表示部は、前記投稿コメント取得部が投稿コメント情報を取得すると、記憶部に記憶された系列情報に基づいて、取得したコメント情報のコメント本文に含まれる放送局情報で示される放送局と同じ系列に属する放送局を検出し、検出した放送局から、前記地域放送局情報に基づいて、登録部が登録した地域情報が示す地域に応じた放送局を決定し、決定した放送局を示す放送局情報を、取得した投稿コメント情報のコメント本文に含まれる放送局情報と置き換え、放送局情報が置き換えられたコメント本文とユーザ識別情報とを表示することを特徴とする請求項１または２記載の通信システム。
【請求項５】
前記受信側携帯端末装置は、
テレビジョン受像機において放送局を選局するための無線コマンドを示す放送局選局情報を記憶する記憶部と、
前記無線コマンドをテレビジョン受像機に送信する無線通信部とを含み、
前記無線通信部は、前記放送局情報が置き換えられたコメント本文とユーザ識別情報とを前記表示部が表示すると、前記記憶部に記憶された放送局選局情報に基づいて、置き換えられた放送局情報で示される放送局を選局するための無線コマンドを取得し、取得した無線コマンドをテレビジョン受像機に送信することを特徴とする請求項４に記載の通信システム。
【請求項６】
外部の投稿サーバ装置に投稿コメント情報を投稿する送信側携帯端末装置と、前記投稿サーバ装置に投稿された投稿コメント情報を受信して表示する受信側携帯端末装置とを含む通信システムによって実行される通信方法であって、
送信側携帯端末装置の宛先入力部が、投稿コメント情報の宛先となるユーザを入力する宛先入力ステップと、
送信側携帯端末装置の送信部が、コメント内容およびテレビジョン放送番組の放送局を示す放送局情報を示す文字列からなるコメント本文と、該コメント本文を投稿するユーザを識別するためのユーザ識別情報とを含む投稿コメント情報を、前記宛先入力部で入力された宛先のユーザが使用する受信側携帯端末装置で表示可能なように、前記投稿サーバ装置に送信する送信ステップと、
受信側端末装置の使用者入力部が、前記受信側携帯端末装置を使用するユーザを入力する使用者入力ステップと、
受信側携帯端末装置の取得部が、前記投稿サーバ装置に送信された投稿コメント情報から前記使用者入力ステップにて入力されたユーザ宛の投稿コメント情報を抽出し、抽出した投稿コメント情報を取得する取得ステップと、
受信側携帯端末装置の表示部が、前記投稿コメント取得部が投稿コメント情報を取得すると、取得した投稿コメント情報に含まれるコメント本文と、ユーザ識別情報とを表示する表示ステップと、を含むことを特徴とする通信方法。
【請求項７】
コンピュータに、請求項６記載の通信方法を実行させるための通信プログラム。
【発明の詳細な説明】
【技術分野】
【０００１】
本発明は、携帯端末装置が、テレビジョン放送番組に対する投稿コメントを送受信するための通信システム、通信方法および通信プログラムに関する。
【背景技術】
【０００２】
インターネット上では、特定のウェブサイトに対してユーザがＳＮＳサーバにコメントを投稿し、その投稿されたコメントを他のユーザが見ることができる。投稿されるコメントの中には、多種多様な内容があるが、その中でもテレビジョン放送番組（以下、単に「テレビ番組」ともいう）に対してコメントが投稿されることも多く、ユーザは、自分が視聴しているテレビ番組と同じ番組を視聴している他のユーザのコメントを見て楽しむという、新たなテレビ番組の視聴の仕方が、多くのユーザによって創り出されている。
【０００３】
このような投稿コメントを見ながらテレビ番組を視聴する場合には、なるべく多くのユーザが視聴しているテレビ番組を視聴することで、投稿されるコメント数も多く、一層楽しめる。コメント数は多くなくとも、友人や知り合いのユーザなど、予め登録されたユーザの投稿コメントだけを選んで表示すれば、いわゆるチャットのようにコメント投稿システムを利用できる。
【０００４】
特許文献１記載のＴＶ装置は、番組情報に付加された視聴者情報を受信し、受信した視聴者情報を表示する。視聴者情報は、たとえば、ソーシャルブックマークサービスにおいて番組がブックマークされた数であり、ＥＰＧ画面とともに表示される。友人登録していれば、友人がブックマークした番組をＥＰＧ画面で確認することができる。
【先行技術文献】
【特許文献】
【０００５】
【特許文献１】特開２００７−２７４６０４号公報
【発明の概要】
【発明が解決しようとする課題】
【０００６】
現在自分が視聴しているテレビ番組に対する他のユーザの投稿コメントについては、表示されるのを見て楽しむことはできるが、友人や知り合いのユーザが他のテレビ番組を視聴しており、他のテレビ番組に対してコメントを投稿していたとしても、その投稿コメントについては、見ることができない。
【０００７】
特許文献１記載のＴＶ装置では、登録された友人がブックマークしている番組を視聴しているかどうかを問合せ、視聴している番組があれば番組情報とユーザＩＤが回答される。
【０００８】
このように、まずはＴＶ装置を操作して、友人が視聴している番組を調べ、調べた番組についての投稿コメントをＳＮＳサーバから取得して閲覧することにより、友人が視聴しているテレビ番組と同じテレビ番組を視聴して投稿コメントを見ることが可能となる。
【０００９】
テレビ番組を視聴する度に上記のような操作をして、投稿コメントを見るのは、手順が繁雑で簡単に楽しむことができない。また、友人が視聴している番組に、自分が視聴する番組を一致させているだけであって、自分が視聴したい番組を友人に知らせることはできない。
【００１０】
自分が視聴したい番組を、友人や知り合いのユーザと一緒に視聴しようとすると、予めどの番組を視聴するかを決めておく、電子メールで自分が視聴している番組を知らせるなど、やはり手順および操作が煩わしく、簡単には楽しめない。
【００１１】
また、特許文献１記載のＴＶ装置のように、視聴者情報を受信して表示するには、視聴者情報を受信する受信機能および受信した視聴者情報を表示する表示機能などを備えた専用の装置を用いなければならない。
【００１２】
本発明の目的は、テレビ番組に対する投稿コメントを見ながらテレビ番組を視聴する際に、友人や知り合いのユーザなど特定のユーザと、簡単な操作で同じテレビ番組を視聴することを可能とする通信システム、通信方法および通信プログラムを提供することである。
【課題を解決するための手段】
【００１３】
本発明は、外部の投稿サーバ装置に、テレビジョン放送番組に関する投稿コメント情報を送信する送信側携帯端末装置と、前記投稿サーバ装置に投稿された投稿コメント情報を受信して表示する受信側携帯端末装置とを含む通信システムであって、
前記送信側携帯端末装置は、
投稿コメント情報の宛先となるユーザを入力する宛先入力部と、
コメント内容およびテレビジョン放送番組の放送局を示す放送局情報を示す文字列からなるコメント本文と、該コメント本文を投稿するユーザを識別するためのユーザ識別情報とを含む投稿コメント情報を、前記宛先入力部で入力された宛先のユーザが使用する受信側携帯端末装置で表示可能なように、前記投稿サーバ装置に送信する送信部と、を備え、
前記受信側携帯端末装置は、
前記受信側携帯端末装置を使用するユーザを入力する使用者入力部と、
前記投稿サーバ装置に送信された投稿コメント情報から前記使用者入力部で入力されたユーザ宛の投稿コメント情報を抽出し、抽出した投稿コメント情報を取得する投稿コメント取得部と、
前記投稿コメント取得部が投稿コメント情報を取得すると、取得した投稿コメント情報に含まれるコメント本文とユーザ識別情報とを表示する表示部と、を備えることを特徴とする通信システムである。
【００１４】
また本発明は、前記コメント内容は、前記放送局情報が示す放送局で放送中のテレビジョン放送番組の視聴を促す内容であることを特徴とする。
【００１５】
また本発明は、前記受信側携帯端末装置は、
テレビジョン受像機において放送局を選局するための無線コマンドを示す放送局選局情報を記憶する記憶部と、
前記無線コマンドをテレビジョン受像機に送信する無線通信部とを含み、
前記無線通信部は、前記投稿コメント取得部が投稿コメント情報を取得すると、前記記憶部に記憶された放送局選局情報に基づいて、取得した投稿コメント情報に含まれる放送局情報で示される放送局を選局するための無線コマンドを取得し、取得した無線コマンドをテレビジョン受像機に送信することを特徴とする。
【００１６】
また本発明は、前記受信側携帯端末装置は、
テレビジョン放送番組を視聴する地域を示す地域情報と、該地域において視聴可能なテレビジョン放送番組を放送する放送局を示す地域放送局情報と、放送局が属する系列を示す系列情報とが記憶される記憶部と、
前記地域情報を登録する登録部とを含み、
前記投稿コメント情報は、前記地域情報を含み、
前記表示部は、前記投稿コメント取得部が投稿コメント情報を取得すると、取得した投稿コメント情報に含まれる地域情報と、登録部が登録した地域情報とを比較し、一致すると、取得した投稿コメント情報に含まれるコメント本文とユーザ識別情報とを表示し、一致しないと、記憶部に記憶された系列情報に基づいて、取得したコメント情報のコメント本文に含まれる放送局情報で示される放送局と同じ系列に属する放送局を検出し、検出した放送局から、前記地域放送局情報に基づいて、登録部が登録した地域情報が示す地域に応じた放送局を決定し、決定した放送局を示す放送局情報を、取得した投稿コメント情報のコメント本文に含まれる放送局情報と置き換え、放送局情報が置き換えられたコメント本文とユーザ識別情報とを表示することを特徴とする。
【００１７】
また本発明は、前記受信側携帯端末装置は、
テレビジョン受像機において放送局を選局するための無線コマンドを示す放送局選局情報を記憶する記憶部と、
前記無線コマンドをテレビジョン受像機に送信する無線通信部とを含み、
前記無線通信部は、前記放送局情報が置き換えられたコメント本文とユーザ識別情報とを前記表示部が表示すると、前記記憶部に記憶された放送局選局情報に基づいて、置き換えられた放送局情報で示される放送局を選局するための無線コマンドを取得し、取得した無線コマンドをテレビジョン受像機に送信することを特徴とする。
【００１８】
また本発明は、外部の投稿サーバ装置に、テレビジョン放送番組に投稿コメント情報を投稿する送信側携帯端末装置と、前記投稿サーバ装置に投稿された投稿コメント情報を受信して表示する受信側携帯端末装置とを含む通信システムによって実行される通信方法であって、
送信側携帯端末装置の宛先入力部とが、投稿コメント情報の宛先となるユーザを入力する宛先入力ステップと、
送信側携帯端末装置の送信部が、コメント内容およびテレビジョン放送番組の放送局を示す放送局情報を示す文字列からなるコメント本文と、該コメント本文を投稿するユーザを識別するためのユーザ識別情報とを含む投稿コメント情報を、前記宛先入力部で入力された宛先のユーザが使用する受信側携帯端末装置で表示可能なように、前記投稿サーバ装置に送信する送信ステップと、
受信側端末装置の使用者入力部が、前記受信側携帯端末装置を使用するユーザを入力する使用者入力ステップと、
受信側携帯端末装置の取得部が、前記投稿サーバ装置に送信された投稿コメント情報から自分宛の投稿コメント情報を抽出し、抽出した投稿コメント情報を取得する取得ステップと、
受信側携帯端末装置の表示部が、前記投稿コメント取得部が投稿コメント情報を取得すると、取得した投稿コメント情報に含まれるコメント本文と、ユーザ識別情報とを表示する表示ステップと、を含むことを特徴とする通信方法である。
【００１９】
また本発明は、コンピュータに、上記の通信方法を実行させるための通信プログラムである。
【発明の効果】
【００２０】
本発明によれば、送信側携帯端末装置は、コメント内容およびテレビジョン放送番組の放送局を示す放送局情報を示す文字列からなるコメント本文と、該コメント本文を投稿するユーザを識別するためのユーザ識別情報とを含む投稿コメント情報を、宛先入力部で入力された宛先のユーザが使用する受信側携帯端末装置で表示可能なように、投稿サーバ装置に送信する。
【００２１】
受信側携帯端末装置は、前記投稿サーバ装置に送信された投稿コメント情報から使用者入力部で入力されたユーザ宛の投稿コメント情報を抽出し、抽出した投稿コメント情報を取得し、取得した投稿コメント情報に含まれるコメント本文とユーザ識別情報とを表示する。
【００２２】
これにより、送信側携帯端末装置を使用するユーザは、受信側携帯端末装置を使用するユーザに対して、現在放送局で放送しているテレビ番組を視聴することを促すことができる。
【００２３】
このような視聴の促しに対して受信側携帯端末装置のユーザが応じてくれれば、簡単な操作で同じテレビ番組を視聴することができる。
【００２４】
また本発明によれば、送信側携帯端末装置は、送信ステップにおいて、コメント内容およびテレビジョン放送番組の放送局を示す放送局情報を示す文字列からなるコメント本文と、該コメント本文を投稿するユーザを識別するためのユーザ識別情報とを含む投稿コメント情報を、宛先入力部で入力された宛先のユーザが使用する受信側携帯端末装置で表示可能なように、投稿サーバ装置に送信する。
【００２５】
受信側携帯端末装置は、取得ステップで、前記投稿サーバ装置に送信された投稿コメント情報から使用者入力部で入力されたユーザ宛の投稿コメント情報を抽出し、抽出した投稿コメント情報を取得し、表示ステップで、取得した投稿コメント情報に含まれるコメント本文とユーザ識別情報とを表示する。
【００２６】
これにより、送信側携帯端末装置を使用するユーザは、受信側携帯端末装置を使用するユーザに対して、現在放送局で放送しているテレビ番組を視聴することを促すことができ、促しに対して受信側携帯端末装置のユーザが応じてくれれば、簡単な操作で同じテレビ番組を視聴することができる。
【００２７】
また本発明によれば、コンピュータに、上記の通信方法を実行させるための通信プログラムを提供することができる。
【図面の簡単な説明】
【００２８】
【図１】本発明の第１実施形態である通信システム１の概略的な構成を示す概略構成図である。
【図２】携帯端末装置１０の電気的構成の一例を示すブロック図である。
【図３】送信側端末装置１０の操作手順および表示画面を示す図である。
【図４】受信側端末装置２０の操作手順および表示画面を示す図である。
【図５】通信システム１で実行される通信処理のシーケンス図である。
【図６】第２実施形態の送信側端末装置１０の操作手順および表示画面を示す図である。
【図７】第３実施形態のメイン画面の表示例を示す図である。
【図８】受信側端末装置２０の記憶部１６に記憶される放送局データベースの一例を示す図である。
【図９】第５実施形態における受信側端末装置２０の表示画面を示す図である。
【発明を実施するための形態】
【００２９】
＜第１実施形態＞
図１は、本発明の第１実施形態である通信システム１の概略的な構成を示す概略構成図である。本実施形態に係る通信システム１は、通信ネットワークであるインターネット２を介して互いにデータ通信可能な携帯端末装置１０および携帯端末装置２０と、投稿サーバ装置であるＳＮＳサーバ３０と、番組情報サーバ４０とを含んで構成される。
【００３０】
携帯端末装置１０は、無線ルータ５０を介してインターネット２に接続し、携帯端末装置２０と通信可能に構成されるとともに、テレビジョン受像機（以下、「テレビ」と略記する）３を遠隔操作するための無線信号を送信可能に構成される携帯型の端末装置によって実現される。携帯端末装置２０は、無線ルータ５１を介してインターネット２に接続し、携帯端末装置１０と通信可能に構成されるとともに、テレビ４を遠隔操作するための無線信号を送信可能に構成される携帯型の端末装置によって実現される。
【００３１】
本実施形態では、携帯端末装置１０，２０として、スマートフォンなどの携帯電話機を想定している。しかしながら、これに限定されることはなく、他の実施形態では、携帯端末装置１０，２０は、たとえばＰＤＡ（Personal Digital Assistant）のように電話機能を備えていない携帯型の端末装置によって実現されてもよい。
【００３２】
図２は、携帯端末装置１０の電気的構成の一例を示すブロック図である。携帯端末装置２０は、携帯端末装置１０と同様の構成を有しているので、携帯端末装置１０について説明し、携帯端末装置２０についての説明は省略する。携帯端末装置１０は、表示部１１と、操作部１２と、音声入出力部１３と、通信部１４と、制御部１５と、記憶部１６とを含んで構成される。
【００３３】
表示部１１は、画像を表示可能に構成され、たとえば液晶パネルおよびバックライトユニットを備える液晶ディスプレイによって実現される。表示部１１には、電話機能や電子メール機能を使用する際の操作画面やアプリケーションソフトウェア（以下、単に「アプリ」ともいう）の実行画面、ウェブブラウザによるウェブサイト閲覧画面などの各種画面が表示される。本実施形態では、表示部１１は、液晶ディスプレイによって実現されているが、他の実施形態では、有機ＥＬ（Electroluminescence）ディスプレイなどによって実現されてもよい。
【００３４】
操作部１２は、制御部１５に対し指令やデータを入力するための操作を受け付ける操作部分を含み、操作部分がユーザによって操作されると、その操作部分に対応した指令信号や入力データを制御部１５へ出力する。操作部分は、本実施形態では、表示部１１における画像の表示面に重ねて設けられ、タッチ入力位置を検出可能なタッチパネルと、複数の操作キーとによって実現される。
【００３５】
音声入出力部１３は、電話の着信および電子メールの受信をユーザに報知するための着信音などのサウンドや、電話通信による音声通話時の相手側電話装置からの音声を出力するスピーカと、電話通信による音声通話時にユーザの音声を入力するためのマイクとを含んで構成される。
【００３６】
通信部１４は、第１無線部１４ａおよび第２無線部１４ｂで構成される。第１無線部１４ａは、テレビ３と近距離無線通信によって通信を行うための通信インターフェイスとして機能する。具体的には、第１無線部１４ａは、テレビ３の動作を遠隔制御するための各種のコマンドデータを、近距離無線通信によって外部へ送信する機能を有する。以下、第１無線部１４ａによって送信される無線信号であって、このコマンドデータを含む無線信号を、「コマンド信号」と称する。
【００３７】
各種のコマンドデータとしては、たとえば「音量を一段階上げる」、「電源を投入／遮断する」、「チャンネルを切り換える」などといったものが含まれる。このようなコマンドデータは、記憶部１６に記憶されるアプリの実行時に、ユーザによる操作部分への操作に応答して、制御部１５によって生成される。
【００３８】
第１無線部１４ａは、さらに、テレビ３から近距離無線通信によって送信される無線信号であるチャンネル通知信号を受信する機能を有する。
【００３９】
第１無線部１４ａとテレビ３との通信の形態は、赤外線信号を用いた通信であってもよく、ＩＥＥＥ８０２．１１、Ｂｌｕｅｔｏｏｔｈ（登録商標）およびＺｉｇｂｅｅ（登録商標）などの無線通信規格に基づく電波を用いた通信であってもよい。本実施形態では、第１無線部１４ａとテレビ３とは、赤外線信号を用いて通信するように構成されているものとする。第１無線部１４ａからテレビ３に対してコマンド信号を送信するだけであり、片方向の通信となり、第１無線部１４ａは、テレビ３からチャンネル通知信号を受信する機能を持たない。上記のＩＥＥＥ８０２．１１、ＢｌｕｅｔｏｏｔｈおよびＺｉｇｂｅｅなどの無線通信規格を用いて通信する場合、第１無線部１４ａからテレビ３の間は双方向の通信となり、第１無線部１４ａは、テレビ３からチャンネル通知信号を受信する機能を持つ。ＩＥＥＥ８０２．１１を用いて通信を行う場合は、無線ルータ５０を介して接続してもよいし、第１無線部１４ａとテレビ３が直接接続してもよい。
【００４０】
第２無線部１４ｂは、通信制御部とアンテナとを含んで構成される。通信制御部は、アンテナを介して、携帯電話基地局との間で無線通信を行い、電話通信可能な他の端末装置との音声通話を実現させる。また、通信制御部は、移動体通信網およびインターネットを含むインターネット２を介して、ＳＮＳサーバ３０および番組情報サーバ４０との間でデータ通信を実現させる。また、ＩＥＥＥ８０２．１１などの無線通信規格を用いて、無線ルータ経由でインターネット２に接続されていてもよい。
【００４１】
制御部１５は、ＣＰＵ（Central Processing Unit）、ＲＯＭ（Read Only Memory）およびＲＡＭ（Random Access Memory）などを含んで構成され、ＲＯＭや記憶部１６に記憶される各種プログラムに従って携帯端末装置１０全体の制御を行う。
【００４２】
記憶部１６は、フラッシュメモリおよびＨＤＤ（Hard Disk Drive）などによって実現され、各種プログラムやデータが記憶される。本実施形態では、記憶部１６には、各種のアプリケーション（以下、単に「アプリ」という）のほか、ＳＮＳサーバ３０から受信したコメント情報や、番組情報サーバ４０から受信した放送番組に関する各種情報が記憶される。
【００４３】
ＳＮＳサーバ３０は、たとえばｔｗｉｔｔｅｒ（登録商標）およびｆａｃｅｂｏｏｋ（登録商標）などのＳＮＳ（Social Networking Service）において、ツイート、つぶやきなどと呼ばれる投稿コメントが、各端末装置から投稿されるサーバ装置である。ＳＮＳサーバ３０は、従来公知のサーバ装置であるので、詳細構成については省略する。
【００４４】
ｔｗｉｔｔｅｒでは、ＳＮＳサーバ３０の機能として、ユーザ間のフォロー機能がある。ＳＮＳサーバ３０に投稿されたコメントは、端末装置のユーザがフォローしている相手ユーザのものだけが表示される。ユーザのフォローは、ＳＮＳサーバ３０に対して、予め定める操作手順を実行することによって、フォローする相手を選択し、登録しておくことができる。ユーザは、他のユーザのうち特定のユーザについて、そのユーザが投稿するコメントを選択的に表示させたい場合に、フォロー機能を使用する。
【００４５】
フォローする相手ユーザは自由に選択することができ、自分がコメントを表示したい相手のみをフォローする。たとえば、視聴するテレビ番組について同じ嗜好のユーザや、友人であるユーザなどをフォローしておけば、容易に友人や知り合いのユーザの投稿コメントを見ることができる。
【００４６】
自分とフォロー中の相手が同じテレビ番組を視聴していれば、単にフォロー中の各ユーザの投稿コメントを表示させた場合も、自分が視聴しているテレビ番組と同じ番組に対する投稿コメントが各ユーザから投稿されている可能性が高いので、１つのテレビ番組について各ユーザが投稿するコメントを見ながら、そのテレビ番組を視聴するという楽しみ方ができる。
【００４７】
ｔｗｉｔｔｅｒでは、自分をフォローしている相手ユーザをフォロワーと呼ぶ。自分が視聴しているテレビ番組と同じテレビ番組をフォロワーが視聴しているかどうかを確認することは難しいので、自分がどのテレビ番組を視聴しているかをフォロワーに知らせて、同じテレビ番組を視聴するように促すことで、同じテレビ番組を視聴して、そのテレビ番組に対するコメントが投稿される可能性が高くなる。
【００４８】
実際に、視聴を促されたフォロワーが同じテレビ番組を視聴するようになれば、同じテレビ番組を視聴しながら、そのテレビ番組に対する友人や知り合いのユーザの投稿コメントを見て楽しむことが容易に可能となる。
【００４９】
本発明では、２つの携帯端末装置１０，２０のうちの携帯端末装置１０を、テレビ番組の視聴を促すための誘導情報を送信する送信側端末装置１０とし、携帯端末装置２０を、誘導情報を受信する受信側端末装置２０として説明する。２つの携帯端末装置１０，２０は、互いに誘導情報を送信することも受信することも可能であり、構成は同じであるが、説明をわかり易くするために、送信側端末装置１０および受信側端末装置２０と区別する。
【００５０】
図３は、送信側端末装置１０の操作手順および表示画面を示す図である。なお、本発明の携帯端末装置は、各種のアプリを実行することが可能に構成されており、以下に示す例では、第１無線部１４ａを動作させてテレビ３を遠隔制御する、いわゆるテレビリモコンアプリにおいて、さらにＳＮＳサーバ３０を利用したコメントの投稿機能および閲覧機能も実行することが可能に構成されている。
【００５１】
また、本アプリを実行する際には、本アプリの実行前に予めまたは必要に応じて本アプリの実行中に、ＳＮＳにログインする。ログインは、公知の手順で行い、ＳＮＳで予め登録しているユーザ名とパスワードを入力する。
【００５２】
図３（ａ）に示すように、送信側端末装置１０の表示部１１に表示されたホーム画面には、各種アプリのアイコンが表示されており、その中から本アプリに対応するアイコン２１をタップすると、本アプリが起動する。
【００５３】
次に、図３（ｂ）に示すように、テレビの機種を選択する画面が表示される。リモコン操作するテレビのメーカーと種別を選択する。テレビの機種ごとに、遠隔制御のためのリモコンコードが異なるので、本アプリでは、ここで選択したテレビだけを制御できることになる。リモコンコードは、予め本アプリに組み込まれており、機種表示領域２２に表示された機種からユーザのタップなどによって機種が選択されると、選択された機種を記憶部１６に記憶して、図３（ｃ）に示す地域設定画面に遷移する。なお、本アプリの任意の画面から特定の操作（例えば携帯端末装置のハードウェアキーの押下等）により遷移する設定モードによって、後でテレビの機種を選択してもよい。
【００５４】
地域設定画面では、送信側端末装置１０を使用するユーザのテレビ視聴地域を選択する。視聴地域はたとえば、地域表示領域２３に表示された都道府県名によって選択することができる。視聴地域が選択されると、その視聴地域の放送局に関する情報を番組情報サーバ４０から取得して、本アプリのメイン画面に遷移する。取得結果の放送局名はメイン画面に反映されて表示される。なお、本アプリの設定モードによって、後で視聴地域を選択してもよい。
【００５５】
テレビの機種についての設定および視聴地域についての設定は、本アプリの最初の起動時に設定すれば、設定内容が記憶部１６に記憶されるので、２回目以降の起動では必須ではない。
【００５６】
図３（ｄ）は、本アプリのメイン画面である。メイン画面には、放送局ごとに割り当てられた行が複数表示されており、各行には、放送局のチャンネル番号２４、放送局名２５が表示される。
【００５７】
表示されるチャンネル番号２４タップすると、対応する行の放送局を選局するコマンド信号を、テレビ３に対して送信する。最後にチャンネル番号２４をタップした放送局を、現在送信側端末装置１０のユーザが視聴中の放送局であると認識し、チャンネル番号２４を強調状表示(色を変える、点滅、枠を表示するなど)し、同じ行に「友達を誘うボタン」２６を表示する。
【００５８】
また、メイン画面に表示された放送局に関連するコメントを投稿したユーザがいた場合、そのユーザがわかるように、ＳＮＳにおけるそのユーザのアイコンをＳＮＳサーバ３０から取得して、該当する放送局の行に表示する。放送局に関連するコメントを投稿したユーザがいたことは、ＳＮＳサーバ３０から取得した投稿コメントに、放送局名を示す文字列または放送局のハッシュタグが含まれており、その投稿コメントを投稿したユーザが、予め登録されている友人などであった場合に認識することができる。なおＳＮＳサーバ３０から取得する投稿コメントは、本アプリの送信機能によって送信した投稿コメントに限らず、他のアプリで送信された投稿コメントも含む。これにより、どの放送局を視聴している友人が多いかを簡単に知る事ができる。
【００５９】
図３に示した例では、ユーザを示すアイコン２７が２つ表示されており、友人などのユーザのうち、各アイコン２７で示されるユーザが、該当する放送局に関連するコメントを投稿していることがわかる。同じユーザが複数回コメントを投稿した場合には、最後に投稿したコメントに関する放送局の行にのみアイコンが表示される。
【００６０】
また、コメントの投稿が現在時刻より３０分前〜１時間前の場合は、投稿から時間が経過しているので、現在も該当の放送局の放送番組を視聴している可能性が低下しているため、たとえばアイコン２７をグレー表示する。さらにコメントの投稿が現在時刻より１時間以上前の場合は、アイコン２７を非表示にする。放送局の行にアイコン２７が表示されていなければ、その放送局の放送番組について友人などのユーザがコメントを投稿していない、または投稿していても１時間以上前の投稿であるので、現在視聴していない可能性が高いことがわかる。
【００６１】
メイン画面の大きさには制限があるので、ユーザを示すアイコン２７の表示数は、予め設定しておくことが好ましく、本例ではアイコン２７は最大２個まで表示できるものとしている。友人などのユーザが多く登録されている場合には、当然２人以上のユーザがコメントを投稿している可能性が高い。そのような場合は、投稿時刻が最新である１人のユーザを示すアイコン２７と、他に何名のユーザが放送局に関するコメントを投稿しているかを示すアイコン２８を表示すればよい。
【００６２】
本発明の特徴は、メイン画面に、上記の「友達を誘うボタン」２６を表示することである。この「友達を誘うボタン」２６をユーザがタップすると、現在視聴中の放送局を観るように促すコメントを投稿する投稿画面（図３（ｅ））に遷移する。
【００６３】
投稿画面に遷移する際に、予め作成された定型のコメント内容に、チャンネル番号が選択されている放送局名と放送局のハッシュタグを埋め込んでコメント内容を自動作成し、作成したコメント内容をユーザが確認できるように、投稿画面のコメント表示領域２９に表示される。コメント内容には、たとえば、本アプリのダウンロードをするためのＵＲＬを含めてもよい。放送局の視聴を促すユーザは、必ずしも本アプリを使用しているとは限らないので、視聴を促すとともに本アプリのダウンロード先を表示し、本アプリのダウンロードを促すようにしてもよい。
【００６４】
放送局の視聴を促すコメントを送信する宛先は、友人などのユーザであるが、友人などのユーザ全員を宛先とするか、個別のユーザを宛先とするかを選択することができる。宛先入力領域３１をタップすると、図３（ｆ）に示す宛先入力画面が表示される。入力可能な宛先は、友人などのユーザ全員、または個別のユーザである。宛先入力画面の宛先選択領域３２には、友人などのユーザ全員を宛先とする「友達全員」、各ユーザの「ユーザ名」が表示され、いずれかをタップすることで、宛先のユーザが入力される。
ｔｗｉｔｔｅｒでは、特定のユーザを宛先とする場合は、コメント本文の最初に「＠」に続けてユーザＩＤを挿入する事で、ユーザＩＤで示されるユーザ宛のコメントとして投稿できる。また、友達全員を宛先とする場合は、上記のような記述をコメント本文に含めない事で、フォロワー全員が閲覧できるコメントとして投稿できる。
【００６５】
なお、特定のユーザを宛先とする場合は、ダイレクトメッセージと呼ばれる方法で投稿してもよい。コメント本文の最初に「ｄ」に続けてユーザＩＤを挿入する事で、ダイレクトメッセージとなり、ユーザＩＤで示されるユーザ宛に投稿できる。「＠」を使用する場合は、宛先のユーザ以外のユーザもコメントを参照できるが、ダイレクトメッセージを使用する場合は、宛先ユーザ以外のユーザはコメントを参照できない事が違いである。
【００６６】
さらに、宛先選択領域３２に表示されるユーザ名が多い場合には、スクロール表示などによって、ユーザ名の表示が可能であるが、ソートによって表示順序を変更するのが好ましい。宛先入力画面のソート選択領域３３をタップすると、各ソート方法がプルダウンメニューで表示される。たとえば、送受信履歴が選択された場合、宛先選択領域３２では、「友達を誘うボタン」２６の操作による投稿コメントの宛先に選択した回数と相手側が「友達を誘うボタン」２６の操作による投稿コメントの宛先として選択した回数との和が多いユーザほど宛先選択領域３２において上位に表示される。投稿履歴が選択された場合、ＳＮＳへのコメント投稿回数が多いほど上位に表示される。お気に入りが選択された場合、お気に入りに登録されているユーザが上位に表示される。ここで、お気に入りの登録については、宛先選択領域３２に表示されているユーザ名をロングタップするとお気に入り登録画面が表示され、お気に入りに登録することができる。
【００６７】
宛先選択領域３２において、「友達全員」か、いずれかのユーザ名を選択すると投稿画面に戻り、コメントを投稿することが可能となる。
【００６８】
ユーザは、コメント内容を確認し、コメントの宛先を入力して、送信ボタン３４を送信すると、コメント内容と、宛先のユーザ名と、コメントを投稿する自分のユーザ名とを含む投稿コメント情報であって、送信側端末装置１０のユーザが自分の視聴している放送局を、友人などのユーザも視聴するように促す投稿コメント情報を、ＳＮＳサーバ装置３０に送信する。
【００６９】
図４は、受信側端末装置２０の操作手順および表示画面を示す図である。上記のように、受信側端末装置２０は、送信側端末装置１０と同等の機能を有しており、送信側端末装置１０と同様に本アプリを実行することが可能に構成されている。
【００７０】
以下では、受信側端末装置２０がロック状態にあるときに、送信側端末装置１０から視聴を促す投稿コメント情報がＳＮＳサーバ３０に送信されている場合について説明する。
【００７１】
受信側端末装置２０がロック状態にあっても、本アプリは定期的にＳＮＳサーバ３０にアクセスして、投稿コメント情報を取得することができる。たとえば、友人などのユーザから友達全員宛てか、自分宛のコメントが投稿されているかどうかをＳＮＳサーバ３０から検索し、該当するコメントがあれば、これを取得する。
【００７２】
送信側端末装置１０から視聴を促す投稿コメント情報がＳＮＳサーバ３０に送信されていると、受信側端末装置２０は、投稿コメント情報の宛先のユーザ名に基づいて、受信側端末装置２０を使用するユーザ宛の投稿コメント情報であるとして、ＳＮＳサーバ３０から該当の投稿コメント情報を取得する。視聴を促す投稿コメント情報を取得すると、本アプリを示すアイコンと、送信側端末装置１０のユーザのユーザ名と視聴を促す投稿コメントの内容が、図４（ａ）に示すロック画面のメッセージ表示領域３５に表示される。
【００７３】
ロック画面は携帯端末装置のＯＳ等により生成される画面であり、携帯端末装置が無操作の状態で一定時間が経過した場合等に表示されるものである。メッセージ表示領域３５の内容は、携帯端末装置にインストールされているアプリからＯＳに指示を出して表示させる事ができる。
【００７４】
受信側端末装置２０のユーザが、このメッセージ表示領域３５に表示されたメッセージを読んで、メッセージ表示領域３５に対してタップや、スワイプなどの操作をすると、本アプリが起動する。
【００７５】
本アプリが起動すると、メイン画面が表示される前に、図４（ｂ）に示す操作確認画面が表示される。ここでは、送信側端末装置１０のユーザから促されたことに対して、どのような操作を行うかを、受信側端末装置２０のユーザが選択して入力することができる。操作確認画面には、視聴を促すユーザのユーザ名と、視聴を促す投稿コメント内容とが表示される。表示されたユーザ名および投稿コメント内容を見て、受信側端末装置２０のユーザは、次のような操作の中から所望の操作を選択する。
【００７６】
視聴を促された放送局のテレビ番組を視聴しようとする場合であって、テレビ４の電源がオフである場合には、「ＴＶをＯＮにしてチャネルを変更」ボタン３６をタップする。これにより、受信側端末装置２０から、テレビ４の電源をオンにするためのコマンド信号と、該当する放送局のチャンネルに変更するためのコマンド信号とをテレビ４に送信する。これらのコマンド信号を受信したテレビ４は、電源をオンし、該当の放送局のチャンネルに変更して放送中のテレビ番組を表示する。
【００７７】
視聴を促された放送局のテレビ番組を視聴しようとする場合であって、テレビ４の電源がオンである場合には、「チャネルを変更」ボタン３７をタップする。これにより、受信側端末装置２０から、該当する放送局のチャンネルに変更するためのコマンド信号をテレビ４に送信する。このコマンド信号を受信したテレビ４は、該当の放送局のチャンネルに変更して放送中のテレビ番組を表示する。
【００７８】
上記は受信側端末２０の第１無線部１４ａからテレビ４に向けて片方向の通信を行う場合であるが、双方向の通信を行う場合は「ＴＶをＯＮにしてチャネル変更」ボタン３６を省略し、「チャネルを変更」ボタン３７だけを表示してもよい。この場合、「チャネルを変更」ボタン３７がタップされたら、受信側端末２０はテレビ４から現在の電源状態を取得し、電源がオフだった場合には電源をオンにするためのコマンド信号と、チャネル変更するためのコマンド信号を送信し、電源がＯＮだった場合は、チャネルを変更するためのコマンド信号だけを送信する。
【００７９】
即座には、視聴を促された放送局のテレビ番組を視聴する必要がないような場合であって、本アプリを使用したい場合には、「アプリを起動する」ボタン３８をタップする。これにより、テレビ４に対して、コマンド信号を送信することなく、本アプリの起動を継続し、図４（ｃ）に示すメイン画面に遷移する。
【００８０】
視聴を促された放送局のテレビ番組を視聴する必要がなく、また本アプリを起動する必要もないような場合には、「何もしない」ボタン３９をタップする。これにより、テレビ４に対して、コマンド信号を送信せず、本アプリも起動せずに、ロック状態に戻り、ロック画面を表示する。この場合は、一度操作確認画面を表示し、いずれかの操作を選択しているので、ロック画面には、メッセージは表示されない。
【００８１】
図４（ｃ）に示すメイン画面の構成は、図３（ｄ）で示したメイン画面と同じである。メイン画面では、放送局の視聴を促す投稿コメント情報を送信したユーザを示すアイコン２７が強調表示される。「ＴＶをＯＮにしてチャネルを変更」ボタン３６または、「チャネルを変更」ボタン３７をタップしてメイン画面が表示された場合は、視聴を促された放送局のチャネル番号２４が選択された状態でメイン画面が表示される。
【００８２】
ここで、視聴を促す投稿コメント情報を送信したユーザのアイコン２７をタップすると、図４（ｄ）に示す投稿コメント表示画面に遷移し、そのユーザが送信した投稿コメント情報のコメント内容などがコメント表示領域４１に表示される。アイコンをタップしたユーザ以外のユーザのコメントも含めて表示してもよい。また、投稿表示画面で投稿ボタン４２をタップすると、図４（ｅ）に示す投稿画面に遷移する。
投稿画面は、図３（ｅ）に示した投稿画面と同様であるが、コメント表示領域２９には、放送局のハッシュタグと本アプリのダウンロードをするためのＵＲＬとを埋め込んだコメント内容が自動作成されて表示される。放送局のハッシュタグが自動で書きこまれているので、ユーザは、テレビ番組などの感想などコメント内容を入力するだけで、簡単に投稿コメント情報を送信することができる。この投稿コメントの宛先は、図３（ｅ）に示した宛先と同様に、友達全体、または個別のユーザのいずれかを宛先として選択することができる。
【００８３】
受信側端末装置２０からこのような投稿コメント情報を送信すれば、送信側端末装置１０では、投稿されたコメント情報を検索して、図３（ｄ）で示したメイン画面において、受信側端末装置のユーザのアイコンが表示されるので、受信側端末装置２０のユーザが、自分が視聴を促した放送局のテレビ番組を視聴したことがわかる。
【００８４】
図５は、通信システム１で実行される通信処理のシーケンス図である。送信側端末装置１０は、ステップＡ１でアイコンをタップするなどして本アプリを起動し、ステップＡ２で本アプリが対応するＳＮＳにログインする。ステップＡ３では、ＳＮＳサーバ３０から友人情報を取得する。友人情報は、予め友人などとして登録しているユーザについて、ログイン状況や、友人などのユーザが投稿した投稿コメント情報の内容などを取得する。
【００８５】
本アプリが起動すると、ステップＡ４で遠隔制御する対象のテレビ４の機種を設定し、ステップＡ５で、視聴地域を設定すると、ステップＡ６で番組情報サーバ４０にアクセスして、設定された視聴地域に応じた放送局および番組情報など、テレビ番組の視聴に関する情報を取得する。ステップＡ７では、番組情報サーバ４０から取得した情報に基づいて構成されたメイン画面を表示する。ステップＡ８では、チャンネル番号をタップすることにより、視聴する放送局にチャンネル変更するためのリモコン操作を行う。ステップＡ９では、変更した放送局を現在視聴中の放送局として認識し、ステップＡ１０で、メイン画面の、現在視聴中の放送局の行に、「友達を誘うボタン」を表示する。ステップＳ１１で、ユーザが、「友達を誘うボタン」をタップすると、視聴中の放送局に応じたコメント内容を生成し、ユーザが選択したユーザを宛先として、ＳＮＳサーバ３０に投稿コメント情報を送信する。
【００８６】
上記は送信側端末１０の第１無線部１４ａからテレビ３に向けて片方向の通信を行う場合であるが、双方向で通信を行う場合は、ステップＡ９では送信側端末１０はテレビ３から現在テレビ３で表示されている放送局の情報を取得し、取得した放送局を現在視聴中の放送局として認識する。
【００８７】
受信側端末装置２０では、ステップＢ１〜Ｂ７において、送信側端末装置１０のステップＡ１〜Ａ７と同じ処理を実行する。ステップＢ８では、受信側端末装置２０は、定期的にＳＮＳサーバ３０にアクセスして自分宛の投稿コメント情報を検索し、自分宛の投稿コメント情報があれば取得する。
【００８８】
ステップＢ９では、ＳＮＳサーバ３０の検索結果において、友人などのユーザの投稿コメント情報であって、放送局を特定する放送局情報（ハッシュタグを含む）と、宛先に自分のユーザ名などが含まれた投稿コメント情報が見つかるとこれを取得し、ステップＢ１０で、本アプリのメイン画面において、取得した投稿コメント情報に含まれる放送局情報が示す放送局の行に、取得した投稿コメント情報を送信したユーザのアイコンを表示するとともに、当該アイコンを強調表示する。
【００８９】
なお、送信側端末装置１０においてもＢ８〜Ｂ１０の処理は実行され、定期的にメイン画面の表示は更新される。
【００９０】
＜第２実施形態＞
上記の第１実施形態では、視聴を促す投稿コメント情報のコメント内容には、放送局名を特定するための情報（ハッシュタグを含む）しか含まれていないが、第２実施形態では、番組情報サーバ４０から取得した放送番組情報に基づいて、現在時刻と放送局とから現在放送中のテレビ番組を検索し、テレビ番組を特定する情報、たとえばテレビ番組の番組名などを、視聴を促す投稿コメント情報のコメント内容に加える。
【００９１】
図６は、第２実施形態の送信側端末装置１０の操作手順および表示画面を示す図である。図６（ａ）に示すように、本実施形態のメイン画面には、各放送局に応じた行に、現在時刻で放送中のテレビ番組の番組名４３を、放送局名２５とともに表示する。番組名４３や放送時間の情報は番組情報サーバ４０から取得する。
【００９２】
ここで、ユーザが「友達を誘うボタン」２６をタップすると、現在視聴中のテレビ番組を観るように促すコメントを投稿する投稿画面（図６（ｂ））に遷移する。図６（ｂ）の投稿画面は、図３（ｅ）に示した投稿画面と同様であるが、予め作成された定型のコメント内容に、チャンネル番号が選択されている放送局名と放送局のハッシュタグ、さらには放送中のテレビ番組の番組名および番組名のハッシュタグを埋め込んでコメント内容を自動作成し、作成したコメント内容をユーザが確認できるように、投稿画面のコメント表示領域２９に表示する。
【００９３】
受信側端末装置２０では、送信側端末装置１０と同様に、放送局名とともに放送中の番組名が表示されること以外は、第１実施形態と同様である。
【００９４】
＜第３実施形態＞
第３実施形態では、本アプリのメイン画面の表示内容が、第１、第２実施形態と異なるので、メイン画面の表示内容について説明する。
【００９５】
図７は、第３実施形態のメイン画面の表示例を示す図である。放送局ごとに関連する情報、たとえばチャネル番号２４、放送局名２５、番組名４３、ユーザを示すアイコン２７などを表示することは、第１、第２実施形態と同様であり、放送局に対応する行に、さらに、その放送局について、ＳＮＳサーバ３０に投稿されているコメントが検索により発見されたときには、コメント表示領域４４に、その放送局について、友人などのユーザがＳＮＳサーバ３０に送信した投稿コメント情報のコメント内容などが表示される。
【００９６】
コメント内容などの表示には、ある程度の大きさの表示領域が必要となるため、複数のコメントが投稿されている場合には、全てのコメント内容を画面に表示することができない。コメント表示領域４４で、たとえばユーザがスワイプ操作を行うと、横方向に表示がスクロールして、全てのコメント内容をスクロール表示することが好ましい。また、自動的にスクロールして表示するコメントを切り替えてもよい。
【００９７】
放送局に対する投稿コメント情報が、検索により発見されていない場合には、コメント表示領域４４に「投稿がありません」など友人などのユーザが、当該放送局についてコメントを投稿していないことがわかるようなメッセージを表示する。
【００９８】
このようにメイン画面でコメント内容を確認できるようにすることにより、投稿されたコメントから番組の内容がわかり、他のユーザから誘われなくとも、自分から放送局を視聴し、ＳＮＳでの会話に参加するという事も可能となる。
【００９９】
＜第４実施形態＞
上記の各実施形態では、「友達を誘うボタン」２６をタップしたのち、視聴を促すコメント内容の宛先を投稿画面の宛先入力領域３１で入力しているが、視聴を促すコメント内容の宛先となるユーザのアイコンが、他の放送局に対応する行にアイコン２７に表示されているような場合は、宛先としたいユーザを示すアイコン２７を、「友達を誘うボタン」２６までドラッグすれば、アイコン２７の示すユーザが宛先に選択された状態で、投稿画面に遷移する。送信側端末装置１０のユーザは、投稿画面において、コメント内容を確認し、送信ボタン３４を押すだけで、簡単にコメントを送信することができる。逆に、「友達を誘うボタン」２６を、宛先としたいユーザを示すアイコン２７までドラッグ＆ドロップしてもよい。
【０１００】
＜第５実施形態＞
上記の実施形態では、視聴を促す投稿コメント情報を送信する場合のコメント内容には、送信側端末装置１０の視聴地域において視聴可能な放送局の放送局名が記載されて送信される。ここで、投稿コメント情報の宛先が、同じ視聴地域内のユーザである場合は、取得した、視聴を促すコメント内容に記載された放送局名を見て、その放送局を視聴するかどうかなどを判断することができる。しかしながら、視聴地域が異なる場合は、視聴を促すコメント内容に記載された放送局名を見ても、それが自分の視聴地域では、どの放送局に対応するのかわからず、その放送局を視聴するかどうかを判断することが難しい。
【０１０１】
また、放送局は、キー局とローカル局とからなる放送局系列のいずれかに属しているが、同じ放送局系列の放送局であっても、チャネル番号の割り当ては地域によって異なるため、受信側端末装置２０において図４（ｂ）に記載のボタンがタップされ、テレビのチャネルを変更する際にも、視聴を促された放送局と同じ放送局系列の放送局のチャネル番号がわからないためチャネルを変更できない。
【０１０２】
本実施形態では、送信側端末装置１０で設定された視聴地域と、受信側端末装置２０で設定された視聴地域とが異なる場合には、受信側端末装置２０でコメント内容を表示する際に、コメント内容に記載された放送局名を、受信側端末装置２０で設定された視聴地域の放送局名に置き換えて表示する。
【０１０３】
図８は、受信側端末装置２０の記憶部１６に記憶される放送局データベースの一例を示す図である。放送局データベースは、外部の番組情報サーバ４０などから入手することができる。
【０１０４】
放送局データベースには、放送局を識別するための放送局ＩＤ１００、放送局名１０１、視聴地域を識別するための地域ＩＤ１０２、都道府県名で表わされる視聴地域の地域名１０３、放送局のハッシュタグ１０４、放送局のチャネル番号１０５および放送局グループＩＤ１０６が含まれる。上記の各実施形態において、放送局名や、ハッシュタグなどは放送局データベースを参照することで、メイン画面への表示、コメント内容への埋め込みなどが可能となる。
【０１０５】
放送局は、キー局とローカル局とからなる放送局系列のいずれかに属している。この放送局系列を示すのが、放送局グループＩＤである。同じ放送局系列に属する放送局には、同じ放送局グループＩＤが割り当てられる。
【０１０６】
送信側端末装置１０から送信される投稿コメント情報には、放送局名と放送局ハッシュタグが含まれる。これは、投稿時に放送局データベースから取得して、コメント情報に含められる。受信側端末装置２０は、視聴を促す投稿コメント情報を受信すると、受信した投稿コメント情報の放送局名または放送局ハッシュタグに基づいて、当該放送局が属する放送局グループＩＤを検出し、自装置に設定された地域ＩＤが割り当てられた複数の放送局のうち、検出した放送局グループＩＤと同じ放送局グループＩＤが割り当てられた放送局を、視聴を促されている放送局として決定する。ここで決定した放送局の放送局名と放送局ハッシュタグを、受信した投稿コメント情報のコメント内容に記載されていた放送局名と放送局ハッシュタグに置き換え、放送局名と放送局ハッシュタグが置き換えられたコメント内容を受信側端末装置２０で表示する。
【０１０７】
放送局名が置き換えられた場合、その後、図４（ｂ）に記載のボタンがタップされ、テレビのチャネルを変更する際には、置き換えた放送局について放送局データベースからチャンネル番号を取得し、取得したチャネル番号に変更するためのコマンド信号をテレビに送信し、視聴を促してきたユーザが意図した放送局と同じ系列の放送局が表示されるようにする。
【０１０８】
放送局データベースには、チャネル番号ではなく、それぞれのチャネル番号に変更するためのコマンドデータを含めてもよい。
【０１０９】
なお、視聴を促す投稿コメント情報に基づく放送局グループＩＤと放送局グループＩＤが一致する放送局を発見できなかった場合は、自装置に設定された地域ＩＤの地域では、視聴を促された放送局と同じ系列の放送局が存在しないものと認識し、図９に示すように、受信側端末装置２０の表示画面では、同じ系列の放送局が存在しないことを示すメッセージを、メッセージ表示領域４５に表示する。「アプリを起動する」ボタン３８や「何もしない」ボタン３９をタップした時の動作は図４（ｂ）と同様である。
【０１１０】
図３（ｄ）、図６（ａ）、図７に示すメイン画面では、各放送局について、放送局名または放送局のハッシュタグが含まれているコメントを投稿したユーザのアイコンを、その放送局を視聴しているユーザとしてアイコン表示している。地域によって放送局名や放送局ハッシュタグは異なるため、自装置に設定された地域ＩＤの放送局名で検索しても、別の地域で同じ番組を視聴しているユーザを検出することはできない。投稿されたコメントに含まれる放送局名や放送局ハッシュタグについて、放送局データベースを検索し、当該放送局の放送局グループＩＤを参照する。これを自装置に設定された地域ＩＤの放送局に割り当てられた放送局グループＩＤと比較し、放送局グループＩＤが一致する場合に、その放送局に関する投稿であると判定すれば、別の放送局で同じ番組を視聴しているユーザも同じ番組を視聴しているものとしてメイン画面に、その放送局を視聴しているユーザとしてアイコン表示する事ができる。
【０１１１】
＜第６実施形態＞  
また本発明は、第６実施形態として、コンピュータに実行させるためのプログラムを記録したコンピュータ読み取り可能な記録媒体に、上記の通信システムを機能させるための通信プログラムすることもできる。
【０１１２】
なお、本実施形態では、記録媒体として、マイクロコンピュータで処理が行われるために図示していないメモリ、たとえばＲＯＭ（Read Only Memory）のようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１１３】
いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【０１１４】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固
定的にプログラムコードを担持する媒体であっても良い。
【０１１５】
また、本実施の形態においては、インターネットに接続可能なシステム構成であることから、インターネットからプログラムコードをダウンロードするように流動的にプログラムコードを担持する媒体であっても良い。なお、このようにインターネットからプログラムをダウンロードする場合には、そのダウンロード用のプログラムは予め携帯端末装置に格納しておくか、あるいは別な記録媒体からインストールされるものであっても良い。
【符号の説明】
【０１１６】
１      通信システム
２      インターネット
３，４      テレビ
１０    送信側端末装置
１１    表示部
１２    操作部
１３    音声入出力部
１４    通信部
１４ａ  第１無線部
１４ｂ  第２無線部
１５    制御部
１６    記憶部
２０    受信側端末装置
３０    ＳＮＳサーバ
４０    番組情報サーバ
【図１】
2014204163.tif 000003
【図２】
2014204163.tif 000004
【図３】
2014204163.tif 000005
【図４】
2014204163.tif 000006
【図５】
2014204163.tif 000007
【図６】
2014204163.tif 000008
【図７】
2014204163.tif 000009
【図８】
2014204163.tif 000010
【図９】
2014204163.tif 000011